(57)【特許請求の範囲】
【請求項１】
装置外部から与えられる画像信号に基づき画像を表示する表示装置であって、
前記画像を表示するための複数の表示素子がマトリクス状に配列されており、その端部に前記表示素子が配列されない額縁領域が設けられる表示パネルと、
前記額縁領域近傍の前記表示パネル上に設けられており、前記表示素子から発せられる光を前記額縁領域上へ光路変換することにより導く導光素子と、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素補正回路と、
前記画素補正回路により得られる新たな画素値に応じて、前記光路変換される表示素子を駆動する駆動手段と、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形部と
を備え、
前記画素補正回路は、前記画像変形部により生成される前記新たな画像信号に含まれる画素値に対して、前記補正係数を乗算し、乗算の結果得られる値を新たな画素値とし、
前記画像変形部は、前記表示パネルが見られる方向に基づき、前記導光素子により表示される画像の拡大率または縮小率を算出し、算出された拡大率または縮小率に基づき、前記大きさの変化が補償されるよう、対応する表示素子に与えられるべき画像信号に基づく画像を変形することにより前記新たな画像信号を生成することを特徴とする、表示装置。
【請求項２】
装置外部から与えられる画像信号に基づき画像を表示する表示装置であって、
前記画像を表示するための複数の表示素子がマトリクス状に配列されており、その端部に前記表示素子が配列されない額縁領域が設けられる表示パネルと、
前記額縁領域近傍の前記表示パネル上に設けられており、前記表示素子から発せられる光を前記額縁領域上へ光路変換することにより導く導光素子と、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素補正回路と、
前記画素補正回路により得られる新たな画素値に応じて、前記光路変換される表示素子を駆動する駆動手段と、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形部と
を備え、
前記画像変形部は、前記導光素子により表示される画像を含んだ前記表示パネル上に表示される画像全体が、前記画像信号により表示されるべき画像全体に対して一定の拡大率または縮小率となるよう、前記画像信号に基づく画像を変形することにより前記新たな画像信号を生成し、
前記画素補正回路は、前記画像変形部により生成される画像信号に含まれる画素値のうち、発する光を前記導光素子により光路変換される表示素子に与えられるべき画素値に対して、前記補正係数を乗算し、乗算の結果得られる値を前記新たな画素値とすることを特徴とする、表示装置。
【請求項３】
前記表示パネルは、少なくとも他の１つと近接または接するよう複数が備えられ、
前記導光素子は、当該導光素子が設けられる表示パネルと近接または接する他の表示パネルに設けられる他の導光素子と接するように配置されることを特徴とする、請求項１または請求項２に記載の表示装置。
【請求項４】
前記表示パネルは、異なる色を発する複数種類の表示素子を含み、
前記画素補正回路は、前記色毎に予め定められる複数の補正係数のうち、前記光路変換される表示素子が発する光の色に対応する補正係数を、前記光路変換される表示素子に与えられるべき画素値に対して乗算することを特徴とする、請求項１または請求項２に記載の表示装置。
【請求項５】
前記画素補正回路は、前記光路変換される表示素子を配置位置により複数のグループに分けた当該グループ毎に予め定められる複数の補正係数のうち、前記光路変換される表示素子の配置位置に対応する補正係数を、前記光路変換される表示素子に与えられるべき画素値に対して乗算することを特徴とする、請求項１または請求項２に記載の表示装置。
【請求項６】
前記複数のグループは、
前記光路変換される表示素子に対向する前記導光素子の面のうち前記導光素子近傍の額縁領域に近い側の第１の端部近傍領域に対向する表示素子を含む第１のグループと、
前記面のうち前記導光素子近傍の額縁領域から遠い側の第２の端部近傍領域に対向する表示素子を含む第２のグループと、
前記面のうち前記第１の端部近傍領域と前記第２の端部近傍領域との間の中央近傍領域に対向する表示素子を含む第３のグループと
を含むことを特徴とする、請求項５に記載の表示装置。
【請求項７】
前記表示パネルは、前記表示素子として液晶素子を含むことを特徴とする、請求項１または請求項２に記載の表示装置。
【請求項８】
装置外部から与えられる画像信号に基づき画像を表示するための複数の表示素子がマトリクス状に配列されており、その端部に前記表示素子が配列されない額縁領域が設けられる表示パネルと、前記額縁領域近傍の前記表示パネル上に設けられており、前記表示素子から発せられる光を前記額縁領域上へ光路変換することにより導く導光素子とを備える表示装置を駆動する方法であって、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素値補正ステップと、
前記画素値補正ステップにおいて得られる新たな画素値に応じて、前記光路変換される表示素子を駆動する駆動ステップと、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形ステップと
を備え、
前記画素値補正ステップでは、前記画像変形ステップにおいて生成される前記新たな画像信号に含まれる画素値に対して、前記補正係数を乗算し、乗算の結果得られる値を新たな画素値とし、
前記画像変形ステップでは、前記表示パネルが見られる方向に基づき、前記導光素子により表示される画像の拡大率または縮小率を算出し、算出された拡大率または縮小率に基づき、前記大きさの変化が補償されるよう、対応する表示素子に与えられるべき画像信号に基づく画像を変形することにより前記新たな画像信号を生成することを特徴とする、駆動方法。
【請求項９】
装置外部から与えられる画像信号に基づき画像を表示するための複数の表示素子がマトリクス状に配列されており、その端部に前記表示素子が配列されない額縁領域が設けられる表示パネルと、前記額縁領域近傍の前記表示パネル上に設けられており、前記表示素子から発せられる光を前記額縁領域上へ光路変換することにより導く導光素子とを備える表示装置を駆動する方法であって、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素値補正ステップと、
前記画素値補正ステップにおいて得られる新たな画素値に応じて、前記光路変換される表示素子を駆動する駆動ステップと、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形ステップと
を備え、
前記画像変形ステップでは、前記導光素子により表示される画像を含んだ前記表示パネル上に表示される画像全体が、前記画像信号により表示されるべき画像全体に対して一定の拡大率または縮小率となるよう、前記画像信号に基づく画像を変形することにより前記新たな画像信号を生成し、
前記画素値補正ステップでは、前記画像変形ステップにおいて生成される画像信号に含まれる画素値のうち、発する光を前記導光素子により光路変換される表示素子に与えられるべき画素値に対して、前記補正係数を乗算し、乗算の結果得られる値を前記新たな画素値とする、駆動方法。
【発明の詳細な説明】
【技術分野】
【０００１】
本発明は、表示装置および表示装置の駆動方法に関し、より詳しくは複数の表示パネルを使用することにより一枚の画面を得る表示装置および当該表示装置の駆動方法に関する。
【背景技術】
【０００２】
近年、軽量で薄型のディスプレイの需要が高まるにつれ、特に大型の液晶パネルを使用したアクティブマトリクス型の液晶表示装置が多く見られる。しかし液晶パネルの大型化には多くの技術的な制約を伴うため、従来より複数の液晶パネルを組み合わせてシームレスな一枚の大画面を得る液晶表示装置が見られる。【０００３】
例えば従来より、フレネルレンズなどの光路変換手段により複数の液晶表示素子の表示画像をスクリーン上で隙間のないように合成する液晶表示装置がある（日本特開平１０−２０２７０号公報を参照）。また、日本特開平８−１３６８８６号公報には、複数の液晶パネルの画像光を凹レンズにより広げて透過型スクリーンに投射する従来の液晶表示装置の構成が記載されている。さらに日本特開２００１−１４７４８６号公報には、表示素子アレイとスクリーンと表示素子アレイの映像をスクリーンにそれぞれ結像するレンズアレイとを備える液晶表示装置が記載されている。
【先行技術文献】
【特許文献】
【０００４】
【特許文献１】日本特開平１０−２０２７０号公報
【特許文献２】日本特開平８−１３６８８６号公報
【特許文献３】日本特開２００１−１４７４８６号公報
【発明の概要】
【発明が解決しようとする課題】
【０００５】
しかし、上記特許文献１〜３等に記載されているような従来の液晶表示装置は、光路変換手段やスクリーンなどにより表示画像全体の輝度や色の明度の低下が生じる。また、部分的に光路変換手段が使用される場合には、表示画像の当該部分に他の部分とは異なる輝度や色の明度の低下が生じるため、継ぎ目のない一枚の画像が表示される場合でも見る者に違和感を生じさせてしまう。【０００６】
そこで本発明では、複数の画像からなる一枚の表示画像の一部分における輝度や色度が他の部分とは異なることで一枚の画像として違和感が生じないように、または違和感が低減されるように表示することができる表示装置を提供することを目的とする。
【課題を解決するための手段】
【０００７】
本発明の第１の局面は、装置外部から与えられる画像信号に基づき画像を表示する表示装置であって、
前記画像を表示するための複数の表示素子がマトリクス状に配列されており、その端部に前記表示素子が配列されない額縁領域が設けられる表示パネルと、
前記額縁領域近傍の前記表示パネル上に設けられており、前記表示素子から発せられる光を前記額縁領域上へ光路変換することにより導く導光素子と、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素補正回路と、
前記画素補正回路により得られる新たな画素値に応じて、前記光路変換される表示素子を駆動する駆動手段と、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形部と
を備え、
前記画素補正回路は、前記画像変形部により生成される前記新たな画像信号に含まれる画素値に対して、前記補正係数を乗算し、乗算の結果得られる値を新たな画素値とし、
前記画像変形部は、前記表示パネルが見られる方向に基づき、前記導光素子により表示される画像の拡大率または縮小率を算出し、算出された拡大率または縮小率に基づき、前記大きさの変化が補償されるよう、対応する表示素子に与えられるべき画像信号に基づく画像を変形することにより前記新たな画像信号を生成することを特徴とする。
本発明の第２の局面は、装置外部から与えられる画像信号に基づき画像を表示する表示装置であって、
前記画像を表示するための複数の表示素子がマトリクス状に配列されており、その端部に前記表示素子が配列されない額縁領域が設けられる表示パネルと、
前記額縁領域近傍の前記表示パネル上に設けられており、前記表示素子から発せられる光を前記額縁領域上へ光路変換することにより導く導光素子と、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素補正回路と、
前記画素補正回路により得られる新たな画素値に応じて、前記光路変換される表示素子を駆動する駆動手段と、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形部と
を備え、
前記画像変形部は、前記導光素子により表示される画像を含んだ前記表示パネル上に表示される画像全体が、前記画像信号により表示されるべき画像全体に対して一定の拡大率または縮小率となるよう、前記画像信号に基づく画像を変形することにより前記新たな画像信号を生成し、
前記画素補正回路は、前記画像変形部により生成される画像信号に含まれる画素値のうち、発する光を前記導光素子により光路変換される表示素子に与えられるべき画素値に対して、前記補正係数を乗算し、乗算の結果得られる値を前記新たな画素値とすることを特徴とする。
【０００８】
本発明の第３の局面は、本発明の第１または第２の局面において、
前記表示パネルは、少なくとも他の１つと近接または接するよう複数が備えられ、
前記導光素子は、当該導光素子が設けられる液晶パネルと近接または接する他の液晶パネルに設けられる他の導光素子と接するように配置されることを特徴とする。
【０００９】
本発明の第４の局面は、本発明の第１または第２の局面において、
前記表示パネルは、異なる色を発する複数種類の表示素子を含み、
前記画素補正回路は、前記色毎に予め定められる複数の補正係数のうち、前記光路変換される表示素子が発する光の色に対応する補正係数を、前記光路変換される表示素子に与えられるべき画素値に対して乗算することを特徴とする。
【００１０】
本発明の第５の局面は、本発明の第１または第２の局面において、
前記画素補正回路は、前記光路変換される表示素子を配置位置により複数のグループに分けた当該グループ毎に予め定められる複数の補正係数のうち、前記光路変換される表示素子の配置位置に対応する補正係数を、前記光路変換される表示素子に与えられるべき画素値に対して乗算することを特徴とする。
【００１１】
本発明の第６の局面は、本発明の第５の局面において、
前記複数のグループは、
前記光路変換される表示素子に対向する前記導光素子の面のうち前記導光素子近傍の額縁領域に近い側の第１の端部近傍領域に対向する表示素子を含む第１のグループと、
前記面のうち前記導光素子近傍の額縁領域から遠い側の第２の端部近傍領域に対向する表示素子を含む第２のグループと、
前記面のうち前記第１の端部近傍領域と前記第２の端部近傍領域との間の中央近傍領域に対向する表示素子を含む第３のグループと
を含むことを特徴とする。
【００１５】
本発明の第７の局面は、本発明の第１または第２の局面において、
前記表示パネルは、前記表示素子として液晶素子を含むことを特徴とする。
【００１６】
本発明の第８の局面は、装置外部から与えられる画像信号に基づき画像を表示するための複数の表示素子がマトリクス状に配列されており、その端部に前記表示素子が配列されない額縁領域が設けられる表示パネルと、前記額縁領域近傍の前記表示パネル上に設けられており、前記表示素子から発せられる光を前記額縁領域上へ光路変換することにより導く導光素子とを備える表示装置を駆動する方法であって、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素値補正ステップと、
前記画素値補正ステップにおいて得られる新たな画素値に応じて、前記光路変換される表示素子を駆動する駆動ステップと、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形ステップと
を備え、
前記画素値補正ステップでは、前記画像変形ステップにおいて生成される前記新たな画像信号に含まれる画素値に対して、前記補正係数を乗算し、乗算の結果得られる値を新たな画素値とし、
前記画像変形ステップでは、前記表示パネルが見られる方向に基づき、前記導光素子により表示される画像の拡大率または縮小率を算出し、算出された拡大率または縮小率に基づき、前記大きさの変化が補償されるよう、対応する表示素子に与えられるべき画像信号に基づく画像を変形することにより前記新たな画像信号を生成することを特徴とする。
本発明の第９の局面は、装置外部から与えられる画像信号に基づき画像を表示するための複数の表示素子がマトリクス状に配列されており、その端部に前記表示素子が配列されない額縁領域が設けられる表示パネルと、前記額縁領域近傍の前記表示パネル上に設けられており、前記表示素子から発せられる光を前記額縁領域上へ光路変換することにより導く導光素子とを備える表示装置を駆動する方法であって、
前記画像信号に含まれる画素値のうち、発する光を前記導光素子により光路変換される表示素子に与えられるべき画素値に対して、前記導光素子中を透過する光の減衰が補償されるよう予め定められる補正係数を乗算し、乗算の結果得られる値を新たな画素値とする画素値補正ステップと、
前記画素値補正ステップにおいて得られる新たな画素値に応じて、前記光路変換される表示素子を駆動する駆動ステップと、
前記導光素子により光路変換される表示素子により表示されるべき前記画像信号に基づく画像が、前記導光素子により大きさを変更されて表示される場合、前記大きさの変化が補償されるよう、光路変換される表示素子に与えられるべき画像信号に基づく画像を変形することにより新たな画像信号を生成する画像変形ステップと
を備え、
前記画像変形ステップでは、前記導光素子により表示される画像を含んだ前記表示パネル上に表示される画像全体が、前記画像信号により表示されるべき画像全体に対して一定の拡大率または縮小率となるよう、前記画像信号に基づく画像を変形することにより前記新たな画像信号を生成し、
前記画素値補正ステップでは、前記画像変形ステップにおいて生成される画像信号に含まれる画素値のうち、発する光を前記導光素子により光路変換される表示素子に与えられるべき画素値に対して、前記補正係数を乗算し、乗算の結果得られる値を前記新たな画素値とする。
【発明の効果】
【００１７】
本発明の第１および第２の局面によれば、額縁領域近傍の表示パネル上に、表示素子から発せられる光を額縁領域上へ光路変換することにより導く導光素子が設けられており、当該導光素子により光路変換される表示素子に与えられるべき画素値に対して、導光素子中を透過する光の減衰が補償されるよう予め定められる補正係数を乗算することによりその画素値を補正するので、導光素子によって生じる表示画素の例えば輝度（または表示画素色の色度）の変化が補償される。したがって、典型的には継ぎ目のない一枚の画像となる表示画像を、見る者に例えば輝度（または色度）の部分的な違いよる違和感を生じさせることなく、またはその違和感を低減させるように表示することができる。
また本発明の第１および第２の局面によれば、導光素子において生じる他の表示画像部分との大きさ（長さ）の違いが補償されるように画像が変形されるので、上記大きさ（長さ）の違いによる違和感を抑制または解消することができる。
さらに本発明の第１の局面によれば、表示パネルが見られる方向に基づき、表示される画像の拡大率または縮小率を正確に算出することができるので、上記違いによる違和感を正確に抑制または解消することができる。
また本発明の第２の局面によれば、導光素子において生じる他の表示画像部分との大きさ（長さ）の違いが補償され、この違いによる違和感を抑制または解消することができ、さらに表示パネル全体に渡って画像表示が行われることにより、拡大されたシームレスな画像を表示することができる。
【００１８】
本発明の第３の局面によれば、各表示パネルが少なくとも他の１つと近接または接するよう設けられ、或る導光素子と、それが設けられる表示パネルと近接または接する他の表示パネルに設けられる他の導光素子とが接するように配置されるので、上記複数の表示パネルによって継ぎ目のない一枚の画像となる表示画像を、見る者に輝度（または色度）の部分的な違いよる違和感を生じさせることなく表示することができる。
【００１９】
本発明の第４の局面によれば、画素補正回路が色毎に予め定められる複数の補正係数のうち、光路変換される表示素子が発する光の色に対応する補正係数を当該表示素子に与えられるべき画素値に対して乗算するので、導光素子によって生じる表示画素色の色度の変化が補償される。したがって、典型的には継ぎ目のない一枚の画像となる表示画像を、見る者に色度の部分的な違いよる違和感を生じさせることなく表示することができる。
【００２０】
本発明の第５の局面によれば、画素補正回路が表示素子の配置位置により複数のグループに分けた当該グループ毎に予め定められる複数の補正係数のうち、光路変換される表示素子の配置位置に対応する補正係数を当該表示素子に与えられるべき画素値に対して乗算するので、導光素子の位置によって生じる表示画素の例えば輝度（または色度）の変化が補償される。したがって、導光素子の位置によらず、典型的には継ぎ目のない一枚の画像となる表示画像を、見る者に輝度（または色度）の部分的な違いよる違和感を生じさせることなく表示することができる。
【００２１】
本発明の第６の局面によれば、導光素子近傍の額縁領域に近い側の第１の端部近傍領域に対向する表示素子を含む第１のグループと、導光素子近傍の額縁領域から遠い側の第２の端部近傍領域に対向する表示素子を含む第２のグループと、これら端部近傍領域の中間付近の中央近傍領域に対向する表示素子を含む第３のグループとに分けて補償が行われるので、導光素子における上記第１の端部近傍領域と、上記第２の端部近傍領域と、上記中央近傍領域とのそれぞれの位置によって生じる表示画素の例えば輝度（または色度）の変化が補償される。したがって、導光素子の上記位置によらず、典型的には継ぎ目のない一枚の画像となる表示画像を、見る者に輝度（または色度）の部分的な違いよる違和感を生じさせることなく表示することができる。
【００２５】
本発明の第７の局面によれば、表示素子として液晶素子を含む液晶表示パネルを備える液晶表示装置について、本発明の第１または第２の局面における効果と同様の効果を奏することができる。特に液晶表示パネルは製造工程上必ず額縁領域が形成されるので、典型的には継ぎ目のない一枚の画像となる表示画像を得るために導光素子を設けることが多い。よって、特に効果を奏することができる。
【００２６】
本発明の第８の局面によれば、本発明の第１の局面における効果と、本発明の第９の局面によれば、本発明の第２の局面における効果と、それぞれ同様の効果を表示装置の駆動方法において奏することができる。
【図面の簡単な説明】
【００２７】
【図１】本発明の第１の実施形態に係る液晶表示装置の概略的な構成を示す斜視図である。
【図２】上記実施形態における液晶パネルおよび導光素子の構造を説明する部分断面図である。
【図３】上記実施形態における液晶表示装置の構成を示すブロック図である。
【図４】上記実施形態における表示部の構成を示す模式図である。
【図５】上記実施形態における表示部に含まれる画素形成部Ｐ（ｎ，ｍ）の等価回路図である。
【図６】上記実施形態における表示制御回路の構成を示すブロック図である。
【図７】上記実施形態における表示制御回路に含まれるデータ補正部の構成を示すブロック図である。
【図８】上記実施形態における導光素子の光学的な特性を説明するｘｙ色度図である。
【図９】本発明の第２の実施形態における表示制御回路の構成を示すブロック図である。
【図１０】上記実施形態における導光素子の各領域における光学的な特性を示すｘｙ色度図である。
【図１１】上記実施形態の変形例おける表示制御回路に含まれるデータ補正部の構成を示すブロック図である。
【図１２】上記各実施形態の変形例における液晶表示装置の表示範囲を説明するための図である。
【図１３】上記各実施形態の変形例における表示制御回路の構成を示すブロック図である。
【発明を実施するための形態】
【００２８】
以下、本発明の各実施形態について添付図面を参照して説明する。
＜１．  第１の実施形態＞
＜１．１  液晶表示装置の全体的な構造＞
図１は、本実施形態の液晶表示装置の概略的な構造を示す斜視図である。この液晶表示装置は、導光素子１２を取り付けた画像を表示する液晶パネル１１と、導光素子１４を取り付けた画像を表示する液晶パネル１３とからなる。図１に示されるように、液晶パネル１１と液晶パネル１３とはその端部が互いに近接するように設けられており、それらの表示面の相対角度を変化させることができるよう図示されない可動機構（例えばヒンジ等）により接続されている。なお、このような可動機構は一例であって省略されてもよく、例えば液晶パネル１１と液晶パネル１３とは、それらの表示面が同一平面となる位置でその端部が互いに接するよう固定されていてもよい。
【００２９】
導光素子１２は、液晶パネル１１から出射された光を光路変換するファイバー（フェイス）プレートであり、液晶パネル１１の表示領域（表示面）を変更する機能を有している。またこの導光素子１２の端部と接するように設けられる導光素子１４も同様の機能を有している。ここで、ファイバープレートとは、数μｍ径のシングルファイバを束ねた形状であって、それぞれのシングルファイバは、光を伝達するコアガラスと、これを被覆するように配されこれとは異なる屈折率を有するクラッドガラスと、コアガラスから漏れた光を吸収する吸収体とからなる。このシングルファイバは、それぞれ他のシングルファイバと干渉せず光を伝達することができるので、（全てのシングルファイバの入射面である）ファイバープレートの入射面に与えられる画像はそのまま出射面から得られる。したがって、このようなファーバープレートである導光素子１２，１４で、２つの液晶パネル１１，１３により表示される二枚の画像の一部を光路変換することにより、切れ目または継ぎ目のない（シームレスな）一枚の画像を表示することができる。このことについて以下に詳しく説明する。
【００３０】
一般的に液晶パネルの周囲には表示を行うことができない領域（以下「額縁領域」という）が設けられている。この額縁領域は製造時にクリアランスとして必要となるため設けられている。すなわち液晶パネルを構成する基板（後述するＴＦＴ基板）は、一枚の元基板に複数個形成された後に１つずつ切り離されて製造される。したがって、額縁領域は切り離される部分のクリアランスとして必要となる。また、この額縁領域は液晶を封止するシール剤を塗布する領域として使用される。したがって、このような額縁領域を有する液晶パネル１１，１３は、その一辺を互いに接するように配置しても全体としてシームレスな一枚の表示画像を得ることができない。そこで、上記導光素子１２，１４を液晶パネル１１，１２の表示部端部近傍および額縁領域の上に設けることにより、表示部端部近傍の画像を額縁領域上へ光路変換して表示させる。このことによりシームレスな一枚の表示画像を得ることができる。以下、図２を参照して、このような液晶パネル１１および導光素子１２の構造について説明する。
【００３１】
図２は、液晶パネルおよび導光素子の構造を示す部分断面図である。なお図２では、液晶パネル１１（実際には後述するバックライト装置における導光板１１６）から出射される光の進路（光路）ＯＰ１〜ＯＰ４が太線および矢印により例示されている。また、図２に示される透明カバー１３０は、図１には示されていないが、液晶パネル１１および導光素子１２を保護するために設けられている。
【００３２】
この図２には、図１に示される液晶パネルを長手方向に切断した場合における導光素子１２近傍部分を拡大した、液晶パネル１１および導光素子１２の断面が主に示されている。ファイバープレートであるこの導光素子１２は、液晶パネル１１からの光が入射する底面（すなわちファイバープレートを構成する全てのシングルファイバの光入射面）が液晶パネル１１の表示領域のうちの端部近傍部分（以下「表示領域端部」と略称する）Ａ２上に接着されている。またこの導光素子１２は、液晶パネル１１からの光が出射する上側の斜面（すなわち全てのシングルファイバの光出射面）が表示領域端部Ａ２直上から液晶パネル１１の額縁領域Ａ３直上までの範囲に含まれる（差し掛かる）ような形状となっている。そのため、液晶パネル１１の表示領域端部Ａ２から出射され導光素子１２に入射された光は、この導光素子１２により光路変換されて額縁領域Ａ３直上方向へ出射されることになるので、表示ができない額縁領域Ａ３があたかも存在しないかのようなシームレスな画像が表示される。
【００３３】
この液晶パネル１１は、バックライト装置に含まれる図示されない発光ダイオード（ＬＥＤ：Ｌｉｇｈｔ Ｅｍｉｔｔｉｎｇ Ｄｉｏｄｅ）などの光源から与えられる光の透過量を画素毎に制御することにより各種表示を行うため、その上面に偏光板１１０ａが貼り付けられたＴＦＴ（Ｔｈｉｎ  Ｆｉｌｍ  Ｔｒａｎｓｉｓｔｏｒ）基板１１１と、その下面に偏光板１１０ｂが貼り付けられたＣＦ（Ｃｏｌｏｒ  Ｆｉｌｔｅｒ）基板１１３と、これらの基板間に挟持された液晶層１１２とを備える。これらにより画像を表示するための具体的な構成については詳しく後述する。
【００３４】
またバックライト装置は、その上面を液晶パネル１１の下面に接するよう設けられており、その端部に図示されない上記光源が設けられ、この光源からの光を照明面から面状に放つ導光板１１６と、この導光板の上面側（照明面側）に配置されたレンズシートや光拡散シート等からなるレンズシート類１１５と、上記導光板の下面側（照明面の反対側）に貼り付けられる反射シート１１７とを備えている。このバックライト装置の光源からの光は導光板の所定の光入射面から入射された後、導光板全体に拡散されることにより照明面から面状に放射される。このように放射された光のうち、液晶パネル１１の表示領域端部Ａ２から出射される光は導光素子１２を通り、液晶パネル１１の表示領域端部Ａ２以外の表示領域（以下「通常表示領域」という）Ａ１から出射される光は導光素子１２を通らないで装置外部へ出射され表示画像を形成する。次に、このような表示画像を形成するための液晶表示装置の全体構成およびその動作について説明する。
【００３５】
＜１．２  液晶表示装置の全体構成および動作＞
図３は、本発明の第１の実施形態に係るアクティブマトリクス型液晶表示装置の全体構成を示すブロック図である。この液晶表示装置は、表示制御回路２００、映像信号線駆動回路３００、および走査信号線駆動回路（ゲートドライバ）４００からなる駆動制御部と、表示部５００と、共通電極駆動回路６００とを備えている。なお、表示制御回路２００および映像信号線駆動回路３００は、別個の大規模集積回路（Ｌａｒｇｅ  Ｓｃａｌｅ  Ｉｎｔｅｇｒａｔｉｏｎ  Ｃｉｒｃｕｉｔ：以下「ＬＳＩ」と略称する）チップで構成されることが多いが、ここでは１つのＬＳＩチップ（ＲＡＭ内蔵型ソースドライバ）で構成されるものとする。なお、これにゲートドライバを加えた駆動制御回路が１つのＬＳＩチップで構成されていてもよいし、チップではなく液晶パネルのガラス基板上にモノリシックに形成されてもよい。
【００３６】
図３に示される表示部５００は、複数本（Ｍ本）の映像信号線ＳＬ（１）〜ＳＬ（Ｍ）と、複数本（Ｎ本）の走査信号線ＧＬ（１）〜ＧＬ（Ｎ）と、それら複数本の映像信号線ＳＬ（１）〜ＳＬ（Ｍ）と複数本の走査信号線ＧＬ（１）〜ＧＬ（Ｎ）との交差点にそれぞれ対応して設けられた複数個（Ｍ×Ｎ個）の画素形成部を含んでおり（以下、走査信号線ＧＬ（ｎ）と映像信号線ＳＬ（ｍ）との交差点に対応する画素形成部を参照符号“Ｐ（ｎ，ｍ）”で示すものとする。）、図４および図５に示すような構成となっている。ここで、図４は、本実施形態における表示部５００の構成を模式的に示し、図５は、この表示部５００における画素形成部Ｐ（ｎ，ｍ）の等価回路を示している。
【００３７】
図４および図５に示すように、各画素形成部Ｐ（ｎ，ｍ）は、対応する交差点を通過する走査信号線ＧＬ（ｎ）にゲート端子が接続されるとともに当該交差点を通過する映像信号線ＳＬ（ｍ）にソース端子が接続されたスイッチング素子であるＴＦＴ（Ｔｈｉｎ  Ｆｉｌｍ  Ｔｒａｎｓｉｓｔｏｒ：薄膜トランジスタ）１０と、そのＴＦＴ１０のドレイン端子に接続された画素電極Ｅｐｉｘと、上記複数個の画素形成部Ｐ（ｉ，ｊ）（ｉ＝１〜Ｎ、ｊ＝１〜Ｍ）に共通的に設けられた共通電極（「対向電極」ともいう）Ｅｃｏｍと、上記複数個の画素形成部Ｐ（ｉ，ｊ）（ｉ＝１〜Ｎ、ｊ＝１〜Ｍ）に共通的に設けられ画素電極Ｅｐｉｘと共通電極Ｅｃｏｍとの間に挟持された電気光学素子としての液晶層とによって構成される。
【００３８】
なお、図４において、各画素形成部Ｐ（ｎ，ｍ）に付されている“Ｒ”“Ｇ”“Ｂ”の各符号は、当該画素形成部Ｐ（ｎ，ｍ）により表示される色が「赤」「緑」「青」のいずれであるかを示すものである。したがって、実際にはＲＧＢの各画素形成部により形成されるＲＧＢの各色の画素が一組となって一つのカラー画素を形成することになる。また、本実施形態では、例えば画素液晶への印加電圧の正負極性を表示部５００における行毎に反転させかつ１フレーム毎にも反転させる駆動方式であるライン反転駆動方式が採用される。
【００３９】
図５に示されるように、各画素形成部Ｐ（ｎ，ｍ）では、画素電極Ｅｐｉｘと、それに液晶層を挟んで対向する共通電極Ｅｃｏｍとによって液晶容量Ｃｌｃが形成されており、その近傍に補助容量Ｃｓが形成されている。
【００４０】
ＴＦＴ１０は、走査信号線ＧＬ（ｎ）に印加される走査信号Ｇ（ｎ）がアクティブになると、当該走査信号線が選択されて導通状態となる。そして、画素電極Ｅｐｉｘには駆動用映像信号Ｓ（ｍ）が映像信号線ＳＬ（ｍ）を介して印加される。これにより、その印加された駆動用映像信号Ｓ（ｍ）の電圧（共通電極Ｅｃｏｍの電位を基準とする電圧）が、その画素電極Ｅｐｉｘを含む画素形成部Ｐ（ｎ，ｍ）に画素値として書き込まれる。
【００４１】
なお、画素形成部Ｐ（ｎ，ｍ）は、バックライト装置（の導光板１１６）からの光の透過率を制御することにより表示を行うので、本明細書ではこのバックライト装置を含んだ画素形成部Ｐ（ｎ，ｍ）を表示素子と呼ぶ。
【００４２】
表示制御回路２００は、外部から送られる表示データ信号ＤＡＴとタイミング制御信号ＴＳとを受け取り、デジタル画像信号ＤＶと、表示部５００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、ゲートクロック信号ＧＣＫ、および極性反転信号φを出力する。また、この表示制御回路２００は、受け取った表示データ信号ＤＡＴに対して導光素子１２による色度変化が補償されるように適宜の補正を行い、デジタル画像信号ＤＶとして出力する。この動作および詳細な構成については後述する。
【００４３】
映像信号線駆動回路３００は、表示制御回路２００から出力されたデジタル画像信号ＤＶ、ソーススタートパルス信号ＳＳＰ、ソースクロック信号ＳＣＫ、およびラッチストローブ信号ＬＳを受け取り、表示部５００内の各画素形成部Ｐ（ｎ，ｍ）の画素容量を充電するために駆動用映像信号を各映像信号線ＳＬ（１）〜ＳＬ（Ｍ）に印加する。このとき、映像信号線駆動回路３００では、ソースクロック信号ＳＣＫのパルスが発生するタイミングで、各映像信号線ＳＬ（１）〜ＳＬ（Ｍ）に印加すべき電圧を示すデジタル画像信号ＤＶが順次に保持される。そして、ラッチストローブ信号ＬＳのパルスが発生するタイミングで、上記保持されたデジタル画像信号ＤＶがアナログ電圧に変換される。変換されたアナログ電圧は、駆動用映像信号として全ての映像信号線ＳＬ（１）〜ＳＬ（Ｍ）に一斉に印加される。すなわち、本実施形態においては、映像信号線ＳＬ（１）〜ＳＬ（Ｍ）の駆動方式には線順次駆動方式が採用されている。なお、各映像信号線ＳＬ（１）〜ＳＬ（Ｍ）に印加される映像信号は、表示部５００の交流化駆動のために、極性反転信号φに応じてその極性が反転する。
【００４４】
走査信号線駆動回路４００は、表示制御回路２００から出力されたゲートスタートパルス信号ＧＳＰとゲートクロック信号ＧＣＫとに基づいて、各走査信号線ＧＬ（１）〜ＧＬ（Ｎ）にアクティブな走査信号を順次印加する。
【００４５】
共通電極駆動回路６００は、液晶の共通電極に与えるべき電圧である共通電圧Ｖｃｏｍを生成する。本実施形態では、映像信号線の電圧の振幅を抑えるために、交流化駆動に応じて共通電極の電位をも変化させるものとする。
【００４６】
以上のようにして、各映像信号線ＳＬ（１）〜ＳＬ（Ｍ）に駆動用映像信号が印加され、各走査信号線ＧＬ（１）〜ＧＬ（Ｎ）に走査信号が印加されることにより、液晶層の光透過率が制御され、表示部５００に画像が表示される。
【００４７】
＜１．３      表示制御回路の構成および動作＞
＜１．３．１  表示制御回路全体の構成および動作＞
図６は、本実施形態における表示制御回路の全体構成を示すブロック図である。この表示制御回路２００は、タイミング制御を行うタイミング制御部２１と、表示領域端部Ａ２に配置される表示素子に対応する補正領域アドレスＡＤを記憶する補正領域アドレス記憶部２２と、装置外部から与えられる表示データ信号ＤＡＴに含まれる画素値（表示階調データ）を受けとり、補正領域アドレス記憶部２２に記憶されている補正領域アドレスＡＤに基づき、表示領域端部Ａ２に対応する画素値に対して所定の補正係数を乗算することにより上記画素値を補正するデータ補正部２３とを含む。
【００４８】
図６に示されるタイミング制御部２１は、外部から送られるタイミング制御信号ＴＳを受け取り、データ補正部２３の動作を制御するための制御信号ＣＴと、表示部５００に画像を表示するタイミングを制御するためのソーススタートパルス信号ＳＳＰ、ソースクロック信号ＳＣＫ、ラッチストローブ信号ＬＳ、ゲートスタートパルス信号ＧＳＰ、ゲートクロック信号ＧＣＫ、および極性反転信号φとを出力する。
【００４９】
補正領域アドレス記憶部２２は、データ補正部２３に含まれる後述する各色用のＲＡＭのアドレスのうち、表示領域端部Ａ２に配置される表示素子に対して与えられるべき画素値が格納されるアドレスを記憶している。なお本実施形態における表示領域端部Ａ２に配置される各色の表示素子は、具体的には図１、図２、および図４を参照すればわかるように、表示領域の右端近傍の表示領域端部Ａ２に含まれる全ての表示列を構成する。
【００５０】
データ補正部２３は、装置外部から与えられる表示データ信号ＤＡＴに含まれる画素値（表示階調データ）を受けとり、（一時的に）後述するＲＡＭに記憶する。その後、データ補正部２３は、タイミング制御部２１からの制御信号ＣＴに基づき、上記ＲＡＭに記憶される画素値を順次読み出し、読み出された画素値のアドレスが補正領域アドレス記憶部２２から読み出された補正領域アドレスＡＤに合致する場合、当該画素値に対して所定の補正係数を乗算することにより上記画素値を補正する。このようなデータ補正部２３の詳しい構成および動作につき、図７を参照して説明する。
【００５１】
＜１．３．２  データ補正部の構成および動作＞
図７は、本実施形態における表示制御回路に含まれるデータ補正部の構成を示すブロック図である。このデータ補正部２３は、装置外部から与えられる表示データ信号ＤＡＴのうちの赤色の表示データＤＡＴｒを順に記憶する赤色用ＲＡＭ２３１と、表示データ信号ＤＡＴのうちの緑色の表示データＤＡＴｇを順に記憶する緑色用ＲＡＭ２３２と、表示データ信号ＤＡＴのうちの青色の表示データＤＡＴｂを順に記憶する青色用ＲＡＭ２３３と、これら赤色用ＲＡＭ２３１、緑色用ＲＡＭ２３２、および青色用ＲＡＭ２３３（以下「各色用ＲＡＭ」と総称する）を制御するＲＡＭ制御回路２３４と、赤色用ＲＡＭ２３１から読み出された赤色画素値Ｄｒのうち表示領域端部Ａ２に位置する画素の画素値を補正する赤色画素補正回路２３６と、緑色用ＲＡＭ２３２から読み出された緑色画素値Ｄｇのうち表示領域端部Ａ２に位置する画素の画素値を補正する緑色画素補正回路２３７と、青色用ＲＡＭ２３３から読み出された青色画素値Ｄｂのうち表示領域端部Ａ２に位置する画素の画素値を補正する青色画素補正回路２３８と、これら赤色画素補正回路２３６、緑色画素補正回路２３７、および青色画素補正回路２３８（以下「各色画素補正回路」と総称する）を制御する補正制御回路２３５とを備える。なお、各色用ＲＡＭは３つの半導体チップからなるが、１つの半導体チップにおける３つの異なる記憶領域であってもよいし、補正領域アドレス記憶部２２を構成する半導体メモリなどの一部であってもよい。
【００５２】
ＲＡＭ制御回路２３４は、タイミング制御部２１からの制御信号ＣＴに基づき、各色用ＲＡＭにそれぞれ記憶されている各色の画素値を順に読み出すための読み出しアドレスを含むＲＡＭ制御信号ＣＳを出力する。各色用ＲＡＭはこのＲＡＭ制御信号ＣＳに応じて各色の画素値Ｄｒ，Ｄｇ，Ｄｂを出力する。
【００５３】
補正制御回路２３５は、ＲＡＭ制御回路２３４からのＲＡＭ制御信号ＣＳを受け取り、これに含まれる現在読み出されている画素値に対応する各色用ＲＡＭのアドレスと、補正領域アドレス記憶部２２から読み出した補正領域アドレスＡＤとを比較し、合致している場合には当該画素値を補正する指示を与える補正指示信号Ｓｓを各色画素補正回路に与える。
【００５４】
赤色画素補正回路２３６は、補正制御回路２３５から補正指示信号Ｓｓを受け取らない場合には受け取った赤色画素値Ｄｒをそのまま赤色デジタル画像信号ＤＶｒとして出力し、また補正指示信号Ｓｓを受け取る場合には、当該画素値Ｄｒに対して予め定められた赤色補正係数Ｋｒを乗算し、その結果得られた画素値を赤色デジタル画像信号ＤＶｒとして出力する。また、緑色画素補正回路２３７も同様に緑色デジタル画像信号ＤＶｇを出力するが、ここでは赤色補正係数Ｋｒではなく予め定められた緑色補正係数Ｋｇが場合により乗算される。さらに、青色画素補正回路２３８も同様に青色デジタル画像信号ＤＶｂを出力するが、ここでは予め定められた青色補正係数Ｋｂが場合により乗算される。
【００５５】
ここで、これら各色の補正係数Ｋｒ，Ｋｇ，Ｋｂは、導光素子１２の光学的な特性に応じて予め定められる。図８は、この導光素子の光学的な特性を説明するｘｙ色度図である。この図８は一般的なｘｙ色度図と同一であって、図中に示される点線の３角形はｓＲＧＢ（ｓｔａｎｄａｒｄ  ＲＧＢ）における色の範囲を示しており、左上端部近傍が緑色（Ｇ）に対応し、左下端部近傍が青色（Ｂ）に対応し、図の右側端部近傍が赤色（Ｒ）に対応している。また図８に示される矢印は、導光素子１２を透過した光が受ける減衰の様子をｘｙｚ表色系において簡易に示したものである。
【００５６】
この図８を参照すればわかるように、導光素子１２を透過した光は黄色にシフトするよう減衰しており、液晶パネル１１の表示領域端部Ａ２に対応する表示色の明度が黄色にシフトするよう低下する。そのため、導光素子１２によって前述したように継ぎ目のない一枚の画像が表示される場合でも見る者に違和感を生じさせてしまう。そこで、このような表示画像における色度の変化（具体的にはＲＧＢ各色の明度の低下）が補償されるよう、各色の補正係数Ｋｒ，Ｋｇ，Ｋｂを定める。なおこれら各色の補正係数Ｋｒ，Ｋｇ，Ｋｂの関係は、Ｋｂ＞Ｋｒ、Ｋｂ＞Ｋｇであり、ＫｒとＫｇとは、ほぼ同じ値となる。また、これらの補正係数を液晶への印加電圧に対する補正値として見た場合、当該補正値は０．２〜５程度の値となる。もちろん、これらの値は導光素子１２の材質や構造等により変化するので、上記のような色度の変化が補償されるよう適宜の値が選ばれる。なお、液晶パネル１１がノーマリブラック型である場合（すなわち液晶への印加電圧が大きいほど表示輝度が大きくなる場合）、液晶への印加電圧に対する上記補正値のうちの１つの値が１未満である場合、当該色の輝度は減衰することになるが、異なる他の色に対応する上記補正値を１以上（典型的には最大値である５）に設定することにより、結果として上記他の色の明度を上記減衰される色の明度に対して相対的に（典型的には５倍を超えて）増加させることができる。
【００５７】
また、上記のように補正係数Ｋｒ，Ｋｇ，Ｋｂを乗算することにより色度の変化（各色の明度の低下）を補償する場合、算出された画素値は表示可能な最大値を超えないことが完全な補償を行うためには望ましい。そこで、補正係数Ｋｒ，Ｋｇ，Ｋｂを乗算することにより算出された画素値が表示可能な最大値を超えないようにするため、液晶パネル１１の通常表示領域Ａ１に表示されるべき全ての画素の（色の）明度が低下するよう、各色画素補正回路は、通常表示領域Ａ１に表示されるべき画素の画素値を含む全ての画素値に対して所定の減衰係数を乗算するよう構成してもよい。具体的にはこの減衰係数は、各画素値の最大値に補正係数Ｋｒ，Ｋｇ，Ｋｂの最大値を乗算する場合であっても、この乗算値に減衰係数を乗算して得られる値が表示可能な最大値を超えないように設定される。
【００５８】
＜１．４  第１の実施形態の効果＞
以上のように本実施形態における表示制御回路２００のデータ補正部２３を備える液晶表示装置は、導光素子１２によって生じる液晶パネル１１の表示領域端部Ａ２に対応する表示色の色度の変化（ＲＧＢ各色の明度の低下）が補償されるので、継ぎ目のない一枚の画像を、見る者に色度の違いよる部分的な違和感を生じさせることなく表示することができる。
【００５９】
＜２．  第２の実施形態＞
＜２．１  液晶表示装置の全体構成および動作＞
本発明の第２の実施形態に係るアクティブマトリクス型液晶表示装置の全体構成（図１〜図３を参照）は、第１の実施形態の場合と同様であり、表示部５００の構成（図４を参照）や、表示部５００における画素形成部Ｐ（ｎ，ｍ）の等価回路（図５を参照）なども同様の構成であるので、その説明を省略する。
【００６０】
本実施形態における液晶表示装置は、第１の実施形態の場合と、表示制御回路２００の構成および動作が一部異なる。以下、この表示制御回路２００の構成および動作について図９を参照して詳しく説明する。
【００６１】
＜２．２  表示制御回路の構成および動作＞
図９は、第２の実施形態における表示制御回路２００の構成を示すブロック図である。この表示制御回路２００は、第１の実施形態と同様のタイミング制御を行うタイミング制御部２１と、第１の実施形態では設けられなかった補正領域アドレスＡＤに対応する補正係数Ｋｒ，Ｋｇ，Ｋｂを複数組記憶する補正係数記憶部２５と、後述する３種類の補正領域アドレスを記憶する補正領域アドレス記憶部２２と、表示データ信号ＤＡＴに含まれる画素値（表示階調データ）を受けとり、補正領域アドレス記憶部２２に記憶されている補正領域アドレスＡＤに基づき、上記補正係数記憶部２５から得られる補正領域アドレスＡＤに対応する補正係数Ｋｒ，Ｋｇ，Ｋｂを表示領域端部Ａ２に対応する画素値に対して乗算することにより上記画素値を補正するデータ補正部３３とを含む。
【００６２】
まず補正領域アドレス記憶部２２は、後述する第１の補正領域アドレスＡＤ１、第２の補正領域アドレスＡＤ２、および第３の補正領域アドレスＡＤ３を記憶する。なお、以下では第１、第２および第３の補正領域アドレスＡＤ１，ＡＤ２，ＡＤ３を補正領域アドレスＡＤと総称する。
【００６３】
また補正係数記憶部２５は、上記第１の補正領域アドレスＡＤ１に対応する第１の補正係数Ｋｒ１，Ｋｇ１，Ｋｂ１と、上記第２の補正領域アドレスＡＤ２に対応する第２の補正係数Ｋｒ２，Ｋｇ２，Ｋｂ２と、上記第３の補正領域アドレスＡＤ３に対応する第３の補正係数Ｋｒ３，Ｋｇ３，Ｋｂ３を記憶する。なお、以下では第１、第２、および第３の補正係数Ｋｒ１，Ｋｇ１，Ｋｂ１，Ｋｒ２，Ｋｇ２，Ｋｂ２，Ｋｒ３，Ｋｇ３，Ｋｂ３を補正係数Ｋｒ，Ｋｇ，Ｋｂと総称する。
【００６４】
さらにデータ補正部３３は、図７に示される第１の実施形態におけるデータ補正部２３と同様の動作を行う、赤色用ＲＡＭ２３１、緑色用ＲＡＭ２３２、青色用ＲＡＭ２３３、およびＲＡＭ制御回路２３４と、第１の実施形態におけるデータ補正部２３とは一部異なる動作を行う、赤色画素補正回路２３６、緑色画素補正回路２３７、青色画素補正回路２３８、および補正制御回路２３５とを備える。
【００６５】
すなわち本実施形態におけるデータ補正部３３に含まれる補正制御回路２３５は、第１の実施形態の場合と同様ＲＡＭ制御回路２３４からのＲＡＭ制御信号ＣＳを受け取り、これに含まれる現在読み出されている画素値に対応する各色用ＲＡＭのアドレスと、補正領域アドレス記憶部２２から読み出した第１、第２、および第３の補正領域アドレスＡＤ１，ＡＤ２，ＡＤ３とを比較する。そして各色用ＲＡＭのアドレスがこれらのいずれかに合致している場合には、第１の実施形態の場合と同様の補正指示信号Ｓｓに加えて、さらに第１の補正領域アドレスＡＤ１に対応する第１の補正係数Ｋｒ１，Ｋｇ１，Ｋｂ１、または第２の補正領域アドレスＡＤ２に対応する第２の補正係数Ｋｒ２，Ｋｇ２，Ｋｂ２、または第３の補正領域アドレスＡＤ３に対応する第３の補正係数Ｋｒ３，Ｋｇ３，Ｋｂ３を各色画素補正回路に与える。
【００６６】
赤色画素補正回路２３６は、補正制御回路２３５から補正指示信号Ｓｓおよび赤色補正係数Ｋｒを受け取らない場合には受け取った赤色画素値Ｄｒをそのまま赤色デジタル画像信号ＤＶｒとして出力し、また補正指示信号Ｓｓおよび赤色補正係数Ｋｒを受け取る場合には、当該画素値Ｄｒに対して受け取った赤色補正係数Ｋｒ（具体的にはＫｒ１、Ｋｒ２、またはＫｒ３）を乗算し、その結果得られた画素値を赤色デジタル画像信号ＤＶｒとして出力する。また、緑色画素補正回路２３７も同様に緑色デジタル画像信号ＤＶｇを出力するが、ここでは受け取られた緑色補正係数Ｋｇ（具体的にはＫｇ１、Ｋｇ２、またはＫｇ３）が乗算される。さらに、青色画素補正回路２３８も同様に青色デジタル画像信号ＤＶｂを出力するが、ここでは受け取られた青色補正係数Ｋｂ（具体的にはＫｂ１、Ｋｂ２、またはＫｒ３）が乗算される。
【００６７】
ここで、これら各色画素補正回路に与えられる各色の補正係数Ｋｒ，Ｋｇ，Ｋｂは、補正係数記憶部２５に記憶されているが、これらの補正係数は導光素子１２の光学的な特性に応じて定められる。もっとも第１の実施形態の場合とは異なり、本実施形態における補正係数記憶部２５は、導光素子１２によって光路変換される光を透過する領域である液晶パネル１１の表示領域端部Ａ２をさらに後述する３つの領域に分けた、これら３つの領域のアドレスそれぞれに対応する異なる３組の補正係数Ｋｒ，Ｋｇ，Ｋｂが記憶されている。以下、導光素子１２におけるこれら３つの領域について図１０を参照して説明する。
【００６８】
図１０は、この導光素子の各領域における光学的な特性を示すｘｙ色度図である。この図１０は、全ての画素に白表示をさせたときの液晶パネル上の各位置における色度（色度座標）を示しており、具体的には（図中では点線Ａ１で囲まれている）通常表示領域Ａ１から出射される光の色度と、（図中では点線Ａ２２で囲まれている）表示領域端部Ａ２のうちの中央部近傍の領域Ａ２２（以下、中央部Ａ２２という）から出射される光の色度と、（図中では点線Ａ２１で囲まれている）表示領域端部Ａ２のうちの通常表示領域Ａ１に近い側の領域Ａ２１（図２中では、表示領域端部Ａ２の左端部近傍を指し、以下、左端部Ａ２１という）から出射される光の色度と、（図中では点線Ａ２３で囲まれている）表示領域端部Ａ２のうちの通常表示領域Ａ１から遠い側の領域Ａ２３（図２中では、表示領域端部Ａ２の右端部近傍を指し、以下、右端部Ａ２３という）から出射される光の色度とをそれぞれ示している。なお、図２では、光路ＯＰ４は通常表示領域Ａ１から出射される光の光路のうちの１つを示しており、光路ＯＰ１は左端部Ａ２１から出射される光の光路のうちの１つを示しており、光路ＯＰ２は中央部Ａ２２から出射される光の光路のうちの１つを示しており、光路ＯＰ３は右端部Ａ２３から出射される光の光路のうちの１つを示している。
【００６９】
この図１０に示されるように、同一の導光素子１２を透過する光であっても、表示領域端部Ａ２のうちの中央部Ａ２２から出射される光の色度と、左端部Ａ２１から出射される光の色度と、右端部Ａ２３から出射される光の色度とはそれぞれ異なるので、導光素子１２によって生じる表示色の明度の低下すなわち色度の変化を（画素位置によらず）一様に補償するためには、これらの色度の違いを考慮した補正係数Ｋｒ，Ｋｇ，Ｋｂを各領域毎にそれぞれ用意する必要がある。
【００７０】
そこで、補正領域アドレス記憶部２２は、各色用のＲＡＭのアドレスのうち、左端部Ａ２１に配置される表示素子に対して与えられるべき画素値が格納される第１の補正領域アドレスＡＤ１と、上記中央部Ａ２２に配置される表示素子に対して与えられるべき画素値が格納される第２の補正領域アドレスＡＤ２と、右端部Ａ２３に配置される表示素子に対して与えられるべき画素値が格納される第３の補正領域アドレスＡＤ３とを記憶する。また、補正係数記憶部２５は、第１の補正領域アドレスＡＤ１に対応する補正係数であって、上記左端部Ａ２１から出射される光の色度の変化が補償されるように設定された第１の補正係数Ｋｒ１，Ｋｇ１，Ｋｂ１と、第２の補正領域アドレスＡＤ２に対応する補正係数であって、中央部Ａ２２から出射される光の色度の変化が補償されるように設定された第２の補正係数Ｋｒ２，Ｋｇ２，Ｋｂ２と、右端部Ａ２３から出射される光の色度の変化が補償されるように設定された第３の補正係数Ｋｒ３，Ｋｇ３，Ｋｂ３とを記憶する。
【００７１】
補正制御回路２３５は、ＲＡＭ制御回路２３４からのＲＡＭ制御信号ＣＳに含まれている各色用ＲＡＭのアドレスと、補正領域アドレス記憶部２２から読み出した上記３つの第１から第３までの補正領域アドレスＡＤ１〜ＡＤ３をそれぞれ比較し、第１の補正領域アドレスＡＤ１と合致する場合には、補正係数記憶部２５から読み出した第１の補正係数Ｋｒ１，Ｋｇ１，Ｋｂ１を各色画素補正回路に与え、第２の補正領域アドレスＡＤ２と合致する場合には、補正係数記憶部２５から読み出した第２の補正係数Ｋｒ２，Ｋｇ２，Ｋｂ２を各色画素補正回路に与え、第３の補正領域アドレスＡＤ３と合致する場合には、補正係数記憶部２５から読み出した第３の補正係数Ｋｒ３，Ｋｇ３，Ｋｂ３を各色画素補正回路に与える。
【００７２】
＜２．３  第２の実施形態の効果＞
以上のように本実施形態における表示制御回路２００のデータ補正部３３を備える液晶表示装置は、導光素子１２によって生じる液晶パネル１１の表示領域端部Ａ２のうちその左端部Ａ２１と中央部Ａ２２と右端部Ａ２３とでそれぞれ異なる適宜の補正係数を使用することにより上記領域毎に色度の変化（各色の明度の低下）が補償されるので、導光素子１２（を透過する光を発する表示素子）の位置によらず、継ぎ目のない一枚の画像を、見る者に色度の違いよる違和感を生じさせることなく表示することができる。
【００７３】
＜３．  変形例＞
＜３．１  第１の主たる変形例＞
上記第１の実施形態では、赤色用ＲＡＭ２３１、緑色用ＲＡＭ２３２、および青色用ＲＡＭ２３３が設けられ、各色毎に補正係数Ｋｒ，Ｋｇ，Ｋｂが設けられる構成であるが、各色毎に専用のＲＡＭ（または記憶領域）を設けるのではなく、これらを区別せずにＲＡＭ（または記憶領域）を１つだけ設け、各色共通の補正係数Ｋを定め、かつ各色共通の画素補正回路を１つだけ設ける構成であってもよい。この構成では、各色で同一の補正が行われるため、導光素子１２による輝度の低下は補償されるが、色度の変化は完全には補償されない。しかし、ＲＡＭおよび画素補正回路を１つに減らすことにより、データ補正部２３の構成を簡単にすることができ、また継ぎ目のない一枚の表示画像を、見る者に輝度の違いよる違和感を生じさせることなく表示することができ、また色度の違いよる違和感を低減することができる。
【００７４】
また同様に上記第２の実施形態でもＲＡＭを１つだけ設け、上記表示領域端部Ａ２のうちの３つの領域に対応する各色共通の補正係数Ｋ１，Ｋ２，Ｋ３を設定し、かつ各色共通の画素補正回路を１つだけ設ける構成であってもよい。この構成でも導光素子１２による色度の変化は完全には補償されないが、ＲＡＭおよび画素補正回路を１つに減らすことにより、データ補正部２３の構成を簡単にすることができ、また導光素子１２（を透過する光を発する表示素子）の位置によらず、継ぎ目のない一枚の表示画像を、見る者に輝度の違いよる違和感を生じさせることなく表示することができ、また色度の違いよる違和感を低減することができる。
【００７５】
上記第２の実施形態では、液晶パネル１１の表示領域端部Ａ２をその左端部Ａ２１と中央部Ａ２２と右端部Ａ２３とに分け、それぞれ対応する補正係数を設定する構成であるが、表示領域端部Ａ２を２つまたは４つ以上の領域に分け、それぞれの領域に対応する補正係数を設定する構成であってもよい。その場合にはそれぞれのグループ（領域）の表示素子から出射される光の色度変化がそれぞれ補償されるよう各グループ（領域）毎に補正係数が設定される。なお、表示素子の配置位置に応じた補償を正確に行いたい場合（すなわち異なる補正係数を多く設定する場合）、グループ数（領域数）は可能な限り多く設定してもよく、記憶容量および計算速度等に問題がなければ、最大で表示領域端部Ａ２に配置される（各色毎の）表示素子の数すなわち映像信号線の数だけ設定することが可能である。なおこの場合には１つのグループに１つの表示素子が対応することになる。
【００７６】
さらに、上記第１および第２の実施形態では、各色毎に１つまたは領域数に応じた数の補正係数Ｋｒ，Ｋｇ，Ｋｂを設定する構成であるが、これらの補正係数Ｋｒ，Ｋｇ，Ｋｂは画素値に応じて変化する値であってもよい。以下、図１１を参照して具体的に説明する。
【００７７】
図１１は、本変形例における表示制御回路に含まれるデータ補正部の構成を示すブロック図である。この図１１に示されるデータ補正部２３は、図７に示されるデータ補正部２３と同一のＲＡＭ制御回路２３４を備え、図７に示されるデータ補正部２３とは異なる構成の赤色用ＲＡＭ４３１、緑色用ＲＡＭ４３２、青色用ＲＡＭ４３３、および補正制御回路４３５を備えている。
【００７８】
赤色用ＲＡＭ４３１、緑色用ＲＡＭ４３２、および青色用ＲＡＭ４３３は、図７に示されるＲＡＭと同様に各色の表示データＤＡＴｒ、ＤＡＴｇ、ＤＡＴｂを記憶するとともに、或る画素値とそれに一意に対応する補正された画素値とを関連付けたルックアップテーブル（以下「ＬＵＴ」という）を記憶している。なお、このＬＵＴのデータは図示されないＥＥＰＲＯＭ等に予め記憶されており、装置起動時にこれらのＲＡＭ上に展開される。このＬＵＴに記憶される補正された画素値は、画素値に応じて適宜に定められた画素値毎の補正係数Ｋｒ，Ｋｇ，Ｋｂを当該画素値に対して乗算することにより算出されたものである。したがって、このＬＵＴに代えて対応する数式により算出する構成であってもよいが、処理速度等の観点からＬＵＴを使用する構成が好ましい。
【００７９】
補正制御回路４３５は、ＲＡＭ制御回路２３４からのＲＡＭ制御信号ＣＳを受け取り、これに含まれる現在読み出されている画素値に対応する各色用ＲＡＭのアドレスと、補正領域アドレス記憶部２２から読み出した補正領域アドレスＡＤとを比較し、合致している場合には当該画素値を当該ＲＡＭに記憶されているＬＵＴを参照することにより補正するよう補正指示信号Ｓｓを各ＲＡＭに与える。各ＲＡＭは、補正指示信号Ｓｓを受け取らない場合には、読み出された画素値をそのまま出力し、補正指示信号Ｓｓを受け取る場合にはＬＵＴを通して補正された画素値を各色デジタル画像信号Ｄｖｒ、Ｄｖｇ，Ｄｖｂとして出力する。
【００８０】
このように、ＬＵＴを参照することにより、画素値毎に適宜に設定された補正係数を乗算した補正画素値を簡単に得ることができ、この補正画素値を使用して導光素子１２上での画像表示が行われるので、全ての階調に渡って見る者に色度の違いよる違和感を生じさせることなく表示することができる。
【００８１】
＜３．２  第２の主たる変形例＞
上記第１および第２の実施形態では、継ぎ目のない一枚の画像を、見る者に色度の違いよる部分的な違和感を生じさせることなく表示することができるが、さらに以下のように構成すれば図の左右方向における大きさの違いによる部分的な違和感も生じないように表示することができる。以下、図１２を参照して説明する。
【００８２】
図１２は、第２の主たる変形例における液晶表示装置の表示範囲を説明するための図である。図１２に示されるように、第１の方向から導光素子１２を見ると、表示領域端部Ａ２に表示される画像が、第１の視認領域Ａ４の大きさ（長さ）に拡大されて表示されることになる。したがって、上記大きさ（以下、図の左右方向における大きさを単に「長さ」ともいう）の違いによる違和感を抑制するため、上記表示領域端部Ａ２に表示される画像を縮小して表示する。具体的には、表示領域端部Ａ２の（図の左右方向における）長さをＡ２とし、第１の視認領域Ａ４の長さをＡ４とするとき、表示領域端部Ａ２には（Ａ２／Ａ４）の長さに縮小された画像が表示される。そうすれば、通常表示領域Ａ１に表示される画像の画素間の長さと、第１の視認領域Ａ４に表示（視認）される画像の画素間の長さとが等しくなるので、上記大きさ（長さ）の違いが補償され、この違いによる違和感を抑制または解消することができる。
【００８３】
このことは見る方向が変わっても同様であって、図１２に示されるように、第２の方向から導光素子１２を見ると、表示領域端部Ａ２に表示される画像が、第２の視認領域Ａ５の長さに拡大されて表示されることになる。したがって、上記大きさ（長さ）の違いによる違和感を抑制するため、第２の視認領域Ａ５の長さをＡ５とするとき、表示領域端部Ａ２には（Ａ２／Ａ５）の長さに縮小された画像が表示される。そうすれば、通常表示領域Ａ１に表示される画像の長さと表示領域端部Ａ２の長さとが等しくなるので、上記大きさ（長さ）の違いが補償され、この違いによる違和感を抑制または解消することができる。
【００８４】
なお、図示されていないが、第１および第２の方向以外の方向、例えば第１の方向を基準として第２の方向とは反対側の方向から導光素子１２を見ても視認領域の長さが変化するだけで、上記同様に表示領域端部Ａ２に縮小された画像が表示されることにより、上記大きさ（長さ）の違いによる違和感を抑制または解消することができる。
【００８５】
また、見る方向によっては、視認領域の長さ（ここではＡ７とする）がＡ２よりも小さい場合も考えられるが、上記と同様、表示領域端部Ａ２において（Ａ２／Ａ７）の長さに拡大された画像が表示されることにより、上記大きさ（長さ）の違いによる違和感を抑制または解消することができる。
【００８６】
以上のように、表示領域端部Ａ２に表示するべき画像は、本来の画像データに対して所定の画像処理または間引き動作を行うことにより、縮小変形（見られる方向によっては拡大変形）される。まず、この画像処理について、図１３を参照して説明する。
【００８７】
図１３は、上記画像処理を行う画像変形部を含む表示制御回路の構成を示すブロック図である。この図１３に示される表示制御回路は、前述した図６に示される表示制御回路の構成に画像変形部を追加したものであって、その他の構成要素は同様であるので、同様の構成要素には同一の符号を付してその説明を省略する。
【００８８】
画像変形部２７は、液晶パネル１１，１３のなす角度を検出するセンサを含む図示されない角度検出部から角度検出信号ＤＧを受け取り、角度検出信号ＤＧにより示される液晶パネル１１，１３のなす角度から液晶パネル１１に対してどの方向から見られているか（例えば第１または第２の方向から見られている等）を算出する。もちろん、液晶パネル１１，１３のなす角度から実際にどの方向から見られているかを正確に検出することは極めて困難である。しかし、液晶パネル１１，１３のなす角度が１８０度である（すなわちほぼ同一平面上にある）場合、正面から見られることが通常であることから、見られている方向は第１の方向であると判定することができる。
【００８９】
また、液晶パネル１１，１３のなす角度に代えて、（重力を利用することにより）鉛直方向に対する液晶パネル１１の傾きを検出するセンサを備え、その傾きにより上記見られる角度を検出する構成であってもよい。さらに、表示されている画像を生成するアプリケーション（例えばテレビジョン画像を表示するソフトウェアなど）の種類に基づき、見られる方向を推定する構成であってもよい。その他、上記見られる方向を計測または推測する周知の構成を採用することができる。このように見られる角度を検出することにより、視認領域の長さ（大きさ）を算出することができ、上記大きさ（長さ）の違いによる違和感を正確に抑制または解消することができる。なお、見られる角度を１つに固定してもよい。この場合であっても上記違和感を或る程度抑制または解消することができる。
【００９０】
画像変形部２７は、以上のように角度検出信号ＤＧに基づき判定された見られる方向（以下、視認方向ともいう）に応じて、表示領域端部Ａ２に表示するべき画像を縮小することにより、実際に表示される画像を本来の大きさ（長さ）で表示する。すなわち前述したように、導光素子１２が例えば第１の方向から見られる場合、表示領域端部Ａ２に表示される画像は、導光素子１２によって第１の視認領域Ａ４の長さに、すなわち（Ａ４／Ａ２）倍に拡大される。したがって、画像変形部２７は、表示領域端部Ａ２に表示するべき画像を（Ａ２／Ａ４）倍に縮小する。また、第２の方向から見られる場合には表示領域端部Ａ２に表示するべき画像を（Ａ２／Ａ５）倍に縮小する。
【００９１】
このように、画像変形部２７は、表示領域端部Ａ２を視認領域の長さで除算した比率（縮小率）で表示画像の（図における左右方向の）長さを縮小する。そして、視認領域の長さは、上記視認方向に基づき容易に算出することができるので、画像変形部２７は、角度検出信号ＤＧにより示される角度から、所定の算出式やルックアップテーブルなどに基づき、上記縮小率（見られる方向によっては拡大率）を算出する。そして画像変形部２７は、算出された比率に基づき表示データ信号ＤＡＴにより表示されるべき画像を縮小し、データ補正部２３に新たな表示データ信号ＤＡＴとして与える。
【００９２】
なお、画像変形部２７による上記画像の縮小は、周知の画像処理（例えば表示画像のうちの縮小対象部分の画素列を適宜に間引く処理など）により行うことができるが、これに代えて、映像信号線駆動回路３００において、映像信号線ＳＬ（１）〜ＳＬ（Ｍ）に与える映像データを適宜に間引くことにより行ってもよい。例えば、映像信号線ＳＬ（７０１）から映像信号線ＳＬ（８００）までの間の位置に導光素子１２が設けられており、画像を１／２に縮小したい場合には、対応する映像信号を映像信号線１つ毎に間引いて（例えば奇数列のデータのみを、映像信号線ＳＬ（７０１）から映像信号線ＳＬ（７５０）までに対して順に与えることにより実現することができる。このような構成では、映像信号線駆動回路３００により画像変形部２７の上記機能が実現されていると言える。
【００９３】
また、例えば（表示画面を９０度反時計回りに回転させて）走査信号線ＧＬ（５０１）から走査信号線ＧＬ（６００）までの間の位置に導光素子１２が設けられており、画像を１／２に縮小したい場合には、対応する映像信号はそのままで、走査信号線駆動回路４００において、走査信号線ＧＬ（５０１）から走査信号線ＧＬ（５５０）までを他の信号線の場合よりも２倍に長い間隔でアクティブにすることにより実現することができる。このように２倍に長い間隔でアクティブにするため、例えば走査信号線ＧＬ（５０１）から走査信号線ＧＬ（５５０）までをアクティブにする間、これらのうちの走査信号線を順に１つアクティブにする毎に、走査信号線駆動回路４００に与えられるゲートイネーブル信号を１走査期間の間オフにするなどの手法により容易に実現することができる。このような構成では、走査信号線駆動回路４００または表示制御回路２００の一部により画像変形部２７の上記機能が実現されていると言える。
【００９４】
しかし、上記変形例のように表示領域端部Ａ２に表示される画像を縮小すると、画像が表示されない領域（具体的には表示領域端部Ａ２のうちの図の左端近傍領域）が生じるので、実際に表示可能な領域が無駄になってしまう。そこで、表示領域端部Ａ２を全て使用するため、通常表示領域Ａ１に表示される画像を適宜に拡大し、本来通常表示領域Ａ１に表示されるべきであった一部（右端近傍）の画像を表示領域端部Ａ２に表示する。そうすれば、通常表示領域Ａ１に表示される画像と、（表示領域端部Ａ２に表示されることにより）、第１および第２の視認領域Ａ４、Ａ５などの視認領域に表示される画像とにより、全体として拡大されたシームレスな画像を表示することができる。
【００９５】
具体的には、例えば第１の方向から視認する場合、通常表示領域Ａ１と（導光素子１２により）視認領域Ａ４に表示される画像は、実際には通常表示領域Ａ１と表示領域端部Ａ２とに表示される。そこで、通常表示領域Ａ１に全体の画像を（Ａ１＋Ａ４）／（Ａ１＋Ａ２）倍に拡大した画像の一部、すなわち拡大された当該画像のＡ１／（Ａ１＋Ａ２）の部分を表示し、表示領域端部Ａ２に拡大された当該画像のＡ２／（Ａ１＋Ａ２）の部分を（Ａ２／Ａ４）倍に縮小して表示する。そうすれば視認領域Ａ４には、（Ａ４／Ａ２）倍に拡大されて表示されるので、結果として通常表示領域Ａ１および第１の視認領域Ａ４に拡大されたシームレスな画像を表示することができる。
【００９６】
このようにシームレスな画像を表示するため、画像変形部２７は、（角度検出信号ＤＧに基づき前述のように算出される）視認方向に基づき、まず表示データ信号ＤＡＴにより表される画像を対応する拡大率（見られる方向によっては縮小率）で拡大する（具体的には画像データのうちの足りない画素列のデータを適宜に補完する処理を行う）ことにより、実際に表示される画像を本来の大きさ（長さ）よりも拡大する。例えば導光素子１２が例えば第１の方向から見られる場合、表示データ信号ＤＡＴにより表される画像は（Ａ１＋Ａ４）／（Ａ１＋Ａ２）倍に拡大される。その後、画像変形部２７は、当該拡大された画像の一部を前述したように通常表示領域Ａ１に表示されるべき画像データとして与えるとともに、拡大された画像の残余部分を視認方向に応じて縮小（見られる方向によっては拡大）し、表示領域端部Ａ２に表示する。このことにより、通常表示領域Ａ１および第１の視認領域Ａ４に拡大されたシームレスな画像を表示することができる。なお、上記拡大比率および縮小比率は、角度検出信号ＤＧにより示される角度から同様に、所定の算出式やルックアップテーブルなどに基づき算出される。
【００９７】
なお、上記縮小は前述した画像処理手法などによる（画像データの）間引きにより同様に実現することができる。また、上記拡大も周知の画像処理手法（例えば隣接する２列分のデータに基づいて１列分の補間データを生成し、当該補間データを対応する２列の間に追加列として挿入するなどの手法）や、映像信号線駆動回路３００のサンプリング周波数または（場合により走査信号線駆動回路４００の）クロック周波数を大きくする（例えば２倍にする）などの手法などにより、容易に実現することができる。
【００９８】
以上のような画像変形部２７の動作により、導光素子１２において生じる上記大きさ（長さ）の違いが補償され、この違いによる違和感を抑制または解消することができ、さらに視認領域全体に渡って表示が行われることにより、拡大されたシームレスな画像を表示することができる。
【００９９】
＜３．３  その他の変形例＞
上記第１および第２の実施形態では、装置外部から与えられる表示データ信号ＤＡＴを赤色用ＲＡＭ２３１、緑色用ＲＡＭ２３２、青色用ＲＡＭ２３３により一時的に記憶する構成であるが、これら各色用ＲＡＭおよびＲＡＭ制御回路２３４が省略され、表示データ信号ＤＡＴがそのまま各色画素補正回路に与えられる構成であってもよい。この構成では、補正領域アドレス記憶部２２は、各色用ＲＡＭのアドレスに代えて、表示領域端部Ａ２に対応する画素値の表示データ信号ＤＡＴにおける配置位置情報（例えばデータ番号やデータ位置に対応するタイミング）を記憶しており、補正制御回路２３５は、この配置位置情報に基づき、表示データ信号ＤＡＴに含まれる画素値のうち表示領域端部Ａ２に配置される表示素子に与えられるべき画素値に対して所定の補正係数を乗算することにより画素値の補正を行う。
【０１００】
上記第１および第２の実施形態では、各色画素補正回路が表示制御回路２００内に備えられる構成であるが、映像信号線駆動回路３００内に備えられる構成であってもよい。例えば、各色画素補正回路は、アナログ電圧乗算回路であって、映像信号線駆動回路３００に含まれる図示されないＤ／Ａ変換回路によりデジタルデータである表示データ信号ＤＡＴを変換したアナログ電圧に対して、所定の補正係数を乗算することにより得られる電圧値に対応するアナログ電圧を表示領域端部Ａ２に対応する画素形成部Ｐ（ｎ，ｍ）に与えるよう、映像信号線駆動回路３００内に設けられる。また、表示データ信号ＤＡＴがアナログ信号である場合、各色画素補正回路は、同様にアナログ電圧乗算回路であって、表示データ信号が映像信号線駆動回路３００内に備えられる図示されないサンプリングスイッチに与えられる前に、当該表示データ信号の電圧値に対して所定の補正係数を乗算することにより得られる電圧値に対応するアナログ電圧をサンプリングスイッチに与えるよう、映像信号線駆動回路３００内に設けられる。
【０１０１】
上記第１および第２の実施形態では、導光素子１２は図２に示されるように三角柱状の断面であるが、額縁領域Ａ３上に画像が表示されるよう表示領域端部Ａ２（またはその他の表示領域）からの光を導くものであれば、曲面の断面形状など、どのような形状または構造を有していてもよく、例えば、プリズムやレンズなど周知の光路変換素子または導光素子が使用されてもよい。また導光素子１２は、液晶パネル１１の額縁領域Ａ３直上までの範囲に含まれるような形状となっているが、額縁領域Ａ３の上方の一部の範囲のみが含まれるような形状であればよい。なお、本発明は、導光素子１２が額縁領域Ａ３上方の範囲を含まないような形状であっても適用が可能である。
【０１０２】
上記第１および第２の実施形態では、液晶表示装置を例に説明したが、マトリクス型の表示装置であれば液晶を使用した表示装置には限定されない。例えば、液晶に代えて、例えば無機ＥＬ（Ｅｌｅｃｔｒｏ  Ｌｕｍｉｎｅｓｃｅｎｃｅ）素子や有機ＥＬ素子等の電気光学素子を使用した表示装置であってもよい。ここで電気光学素子とは、ＥＬ素子の他、ＦＥＤ（Ｆｉｅｌｄ  Ｅｍｉｓｓｉｏｎ  Ｄｉｓｐｌａｙ）、ＬＥＤ、電荷駆動素子、Ｅインクなど、電気を与えることにより光学的な特性が変化する全ての素子をいう。
【産業上の利用可能性】
【０１０３】
本発明は、例えば液晶パネルのような表示パネルを含む表示装置に適用されるものであって、表示パネル上に光路変換を行うための導光素子を備えた表示装置に適している。
【符号の説明】
【０１０４】
１０      …ＴＦＴ（薄膜トランジスタ）
１１、１３…液晶パネル
１２、１４…導光素子
２１      …タイミング制御部
２２      …補正領域アドレス記憶部
２３、３３…データ補正部
２５      …補正係数記憶部
２７      …画像変形部
２００    …表示制御回路
２３１、４３１  …赤色用ＲＡＭ
２３２、４３２  …緑色用ＲＡＭ
２３３、４３３  …青色用ＲＡＭ
２３４    …ＲＡＭ制御回路
２３５、４３５  …補正制御回路
２３６    …赤色画素補正回路
２３７    …緑色画素補正回路
２３８    …青色画素補正回路
３００    …映像信号線駆動回路
４００    …走査信号線駆動回路
５００    …表示部
６００    …共通電極駆動回路
Ａ１      …通常表示領域
Ａ２      …表示領域端部
Ａ３      …額縁領域
Ａ４      …第１の視認領域
Ａ５      …第２の視認領域
Ｐ（ｎ，ｍ）…画素形成部（画素）
Ｅｐｉｘ  …画素電極
Ｅｃｏｍ  …共通電極（対向電極）
Ｇ（ｋ）  …走査信号（ｋ＝１，２，３，…）
ＧＬ（ｋ）…走査信号線（ｋ＝１，２，３，…）
Ｄ（ｊ）  …映像信号（ｊ＝１，２，３，…）
ＳＬ（ｊ）…映像信号線（ｊ＝１，２，３，…）
ＡＤ      …補正領域アドレス
ＣＴ，ＣＳ…制御信号
【図１】
0005490710.tif 000002
【図２】
0005490710.tif 000003
【図３】
0005490710.tif 000004
【図４】
0005490710.tif 000005
【図５】
0005490710.tif 000006
【図６】
0005490710.tif 000007
【図７】
0005490710.tif 000008
【図８】
0005490710.tif 000009
【図９】
0005490710.tif 000010
【図１０】
0005490710.tif 000011
【図１１】
0005490710.tif 000012
【図１２】
0005490710.tif 000013
【図１３】
0005490710.tif 000014